(57)【要約】【課題】全てのインキの組合せに応じた色域を有する色域データベースを作成することなく、印刷において印刷可能な色を、彩色したい色に応じて簡易な処理により提示することができる印刷可能色出力装置を提供する。【解決手段】印刷に用いられる印刷特性に関する印刷特性情報を取得する印刷特性情報取得部と、指定された指定色に関する指定色情報を取得する指定色情報取得部と、前記指定色情報と前記印刷特性情報とを用いて、印刷可能となる印刷可能色を推定する印刷可能色推定部と、前記印刷可能色に関する印刷可能色情報を出力する出力部とを備える。【選択図】図２
2020061678.tif 000002
【特許請求の範囲】
【請求項１】
印刷に用いられる印刷特性に関する印刷特性情報を取得する印刷特性情報取得部と、
指定された指定色に関する指定色情報を取得する指定色情報取得部と、
前記指定色情報と前記印刷特性情報とを用いて、印刷可能となる印刷可能色を推定する印刷可能色推定部と、
前記印刷可能色に関する印刷可能色情報を出力する出力部と、
を備えることを特徴とする印刷可能色出力装置。
【請求項２】
前記印刷特性情報には、少なくとも前記印刷に用いられる原色インキのインキ情報、及び前記印刷される基材の基材情報が含まれ、
前記印刷可能色推定部は、前記指定色情報と前記インキ情報と前記基材情報とに基づいて選択した複数の原色インキを配合した配合インキを用いて印刷可能な色を推定する、
ことを特徴とする請求項１に記載の印刷可能色出力装置。
【請求項３】
前記印刷可能色推定部は、複数の原色インキを配合した配合インキを用いて印刷可能な色の範囲である配合色域を、前記印刷特性情報に基づいて決定し、
前記出力部は、前記配合色域を示す情報を出力し、
前記配合色域の範囲で指定された調整値を用いて、調整する対象である調整対象色を調整する調整部を更に備える、
ことを特徴とする請求項１又は請求項２に記載の印刷可能色出力装置。
【請求項４】
前記出力部は、前記調整対象色、及び前記調整部による調整後の調整色の各々における色の情報を出力する、
ことを特徴とする請求項３に記載の印刷可能色出力装置。
【請求項５】
前記印刷特性情報には、前記印刷に用いられるインキにおける網点面積率に応じた階調を示す階調情報が含まれ、
前記印刷可能色のうち調整対象とする調整対象色について指定された指定網点面積率に関する指定網点面積率情報を取得する指定網点情報取得部と、
前記印刷特性情報と前記指定網点面積率情報とを用いて、前記調整対象色が前記指定網点面積率で印刷可能となる網点印刷可能色を推定する網点印刷可能色推定部を更に備える、
ことを特徴とする請求項１から請求項４の何れか一項に記載の印刷可能色出力装置。
【請求項６】
画像の情報が入力される画像情報入力部と、
前記画像をユーザ端末に表示させる表示制御部を更に備え、
前記指定色情報取得部は、前記ユーザ端末に表示された画像において選択された領域における色を前記指定色として前記指定色情報を取得する、
ことを特徴とする請求項１から請求項５の何れか一項に記載の印刷可能色出力装置。
【請求項７】
印刷特性情報取得部が、印刷に用いられる印刷特性に関する印刷特性情報を取得する印刷特性情報取得工程と、
指定色情報取得部が、指定された指定色に関する指定色情報を取得する指定色情報取得工程と、
印刷可能色推定部が、前記指定色情報と前記印刷特性情報とを用いて、印刷可能となる印刷可能色を推定する可能色推定工程と、
出力部が、前記印刷可能色に関する印刷可能色情報を出力する出力工程と、
を含むことを特徴とする印刷可能色出力方法。
【請求項８】
コンピュータを、
印刷に用いられる印刷特性に関する印刷特性情報を取得する印刷特性情報取得手段、
指定された指定色に関する指定色情報を取得する指定色情報取得手段、
前記指定色情報と前記印刷特性情報とを用いて、印刷可能となる印刷可能色を推定する印刷可能色推定手段、
前記印刷可能色に関する印刷可能色情報を出力する出力手段、
として機能させるためのプログラム。
【発明の詳細な説明】
【技術分野】
【０００１】
本発明は、印刷可能色出力装置、印刷可能色出力方法及びプログラムに関する。
【背景技術】
【０００２】
パッケージなどの印刷物のデザインの現場では、インクジェットプリンタ等の簡易的なプリンタを用いてデザインデータを出力したものを、色見本（カラーカンプ）としている。デザインデータを印刷会社に入稿する際には、このカラーカンプが色見本として添付され、印刷する基材（用紙など）の色に合わせてインキを配合するなどして色を合わせ、その色を再現させた印刷を行う。しかし、このカラーカンプは、一般的に印刷の色再現が考慮されていないため、印刷では再現不可能な色が含まれる等の問題により、カラーカンプと印刷物の間には色のギャップが生じてしまう場合がある。このギャップを埋めるために、特許文献１では、デザイナーによる色選択時に、彩色する下地毎にインキの組合せに対応した色域の色域データベースを作成する技術が開示されている。
【先行技術文献】
【特許文献】
【０００３】
【特許文献１】特許第６０９３６１８号公報
【発明の概要】
【発明が解決しようとする課題】
【０００４】
しかしながら、印刷においては、膨大な種類のインキ、及び用紙が使用される。特許文献１のように全てのインキの組合せに応じた色に対応する色域を有する色域データベースを作成しようとする場合、作成に要する処理が膨大となってしまう。
【０００５】
本発明は、このような状況に鑑みてなされたもので、全てのインキの組合せに応じた色域を有する色域データベースを作成することなく、印刷において印刷可能な色を、彩色したい色に応じて簡易な処理により提示することができる印刷可能色出力装置、印刷可能色出力方法及びプログラムを提供する。
【課題を解決するための手段】
【０００６】
本発明の、印刷可能色出力装置は、印刷に用いられる印刷特性に関する印刷特性情報を取得する印刷特性情報取得部と、指定された指定色に関する指定色情報を取得する指定色情報取得部と、前記指定色情報と前記印刷特性情報とを用いて、印刷可能となる印刷可能色を推定する印刷可能色推定部と、前記印刷可能色に関する印刷可能色情報を出力する出力部とを備えることを特徴とする。
【０００７】
本発明の、印刷可能色出力装置は、前記印刷特性情報には、少なくとも前記印刷に用いられる原色インキのインキ情報、及び前記印刷される基材の基材情報が含まれ、前記印刷可能色推定部は、前記指定色情報と前記インキ情報と前記基材情報とに基づいて選択した複数の原色インキを配合した配合インキを用いて印刷可能な色を推定することを特徴とする。
【０００８】
本発明の、印刷可能色出力装置は、前記印刷可能色推定部は、複数の原色インキを配合した配合インキを用いて印刷可能な色の範囲である配合色域を、前記印刷特性情報に基づいて決定し、前記出力部は、前記配合色域を示す情報を出力し、前記配合色域の範囲で指定された調整値を用いて、調整する対象である調整対象色を調整する調整部を更に備えることを特徴とする。
【０００９】
本発明の、印刷可能色出力装置は、前記出力部は、前記調整対象色、及び前記調整部による調整後の調整色の各々における色の情報を出力することを特徴とする。
【００１０】
本発明の、印刷可能色出力装置は、前記印刷特性情報には、前記印刷に用いられるインキにおける網点面積率に応じた階調を示す階調情報が含まれ、前記印刷可能色のうち調整対象とする調整対象色について指定された指定網点面積率に関する指定網点面積率情報を取得する指定網点情報取得部と、前記印刷特性情報と前記指定網点面積率情報とを用いて、前記調整対象色が前記指定網点面積率で印刷可能となる網点印刷可能色を推定する網点印刷可能色推定部を更に備えることを特徴とする。
【００１１】
本発明の、印刷可能色出力装置は、画像の情報が入力される画像情報入力部と、前記画像をユーザ端末に表示させる表示制御部とを更に備え、前記指定色情報取得部は、前記ユーザ端末に表示された画像において選択された領域における色を前記指定色として前記指定色情報を取得することを特徴とする。
【００１２】
本発明の、印刷可能色出力方法は、印刷特性情報取得部が、印刷に用いられる印刷特性に関する印刷特性情報を取得する印刷特性情報取得工程と、指定色情報取得部が、指定された指定色に関する指定色情報を取得する指定色情報取得工程と、印刷可能色推定部が、前記指定色情報と前記印刷特性情報とを用いて、印刷可能となる印刷可能色を推定する可能色推定工程と、出力部が、前記印刷可能色に関する印刷可能色情報を出力する出力工程とを含むことを特徴とする。
【００１３】
本発明のプログラムは、コンピュータを、印刷に用いられる印刷特性に関する印刷特性情報を取得する印刷特性情報取得手段、指定された指定色に関する指定色情報を取得する指定色情報取得手段、前記指定色情報と前記印刷特性情報とを用いて、印刷可能となる印刷可能色を推定する印刷可能色推定手段、前記印刷可能色に関する印刷可能色情報を出力する出力手段として動作させるためのプログラムである。
【発明の効果】
【００１４】
本発明によれば、全てのインキの組合せに応じた色域を有する色域データベースを作成することなく、印刷において印刷可能な色を、彩色したい色に応じて簡易な処理により提示することができる。
【図面の簡単な説明】
【００１５】
【図１】第１の実施形態による印刷可能色出力システム１の構成例を示すブロック図である。
【図２】第１の実施形態による印刷可能色出力装置１０の構成例を示すブロック図である。
【図３】第１の実施形態による印刷可能色出力装置１０からの出力がユーザ端末３０において表示された場合の表示例を示す図である。
【図４】第１の実施形態による印刷可能色出力装置１０の動作例を示すフローチャートである。
【図５】第２の実施形態による印刷可能色出力装置１０Ａの構成例を示すブロック図である。
【図６】第２の実施形態による印刷可能色出力装置１０Ａからの出力がユーザ端末３０において表示された場合の表示例を示す図である。
【図７】第３の実施形態による印刷可能色出力装置１０Ｂの構成例を示すブロック図である。
【図８】第３の実施形態による印刷可能色出力装置１０Ｂからの出力がユーザ端末３０において表示された場合の表示例を示す図である。
【図９】第３の実施形態による印刷可能色出力装置１０Ｂからの出力がユーザ端末３０において表示された場合の表示例を示す図である。
【図１０】第３の実施形態による印刷可能色出力装置１０Ｂからの出力がユーザ端末３０において表示された場合の表示例を示す図である。
【図１１】第３の実施形態による印刷可能色出力装置１０Ｂの動作例を示すフローチャートである。
【発明を実施するための形態】
【００１６】
以下、本発明の一実施形態について、図面を参照して説明する。
【００１７】
（第１の実施形態）
まず、第１の実施形態について説明する。
図１は、第１の実施形態による印刷可能色出力システム１の構成例を示すブロック図である。印刷可能色出力システム１は、例えば、印刷可能色出力装置１０、印刷特性情報データベース２０及びユーザ端末３０を備える。
【００１８】
印刷可能色出力装置１０は、印刷特性情報データベース２０を参照し、印刷の特性に関する印刷特性情報を取得する。
ここで印刷特性情報は、印刷に用いられる印刷特性に関する情報であって、例えば、インキ情報、基材情報、階調情報、印刷色実測情報などを含む情報である。インキ情報は印刷に用いられる原色インキの分光的な特性を示す吸収係数や散乱係数を示す情報である。基材情報は印刷する下地（基材）の素材や分光反射率を示す情報である。階調情報は、印刷の網点による階調表現を、一つの網点が複数の濃度階調領域からなるものとしたモデルで表した際の、指定網点面積率と、濃度改良領域の出現率の関係を記述した情報である。印刷色実測情報は、インキを印刷した印刷媒体（基材）から実測した分光反射率などの測定値を示す情報である。
【００１９】
また、印刷可能色出力装置１０は、ユーザ端末３０から指定色情報を取得する。指定色情報は、デザイナー等から指定される色の情報（色情報）であって、例えば、ＣＩＥＬＡＢ表色系により示された測色値であるＬ＊ａ＊ｂ＊値で示される情報である。
印刷可能色出力装置１０は、印刷特性情報及び指定色情報を用いて、印刷可能色を推定する。ここで、印刷可能色は、印刷特性情報におけるインキ及び基材の組合せにより印刷することが可能な色である。印刷可能色出力装置１０は、指定色情報に対応する印刷可能色に関する印刷可能色情報を出力する。印刷可能色情報は、例えば、Ｌ＊ａ＊ｂ＊値で示される情報である。
【００２０】
印刷特性情報データベース２０は、印刷特性情報が記憶されたデータベースである。
ユーザ端末３０は、デザイナー等により操作されるタブレットやコンピュータ等の端末であり、デザインされた画像や、印刷可能色出力装置１０から示された印刷可能色を表示する。
ユーザ端末３０は、例えば、マウスやキーボード等の入力装置を備える。ユーザ端末３０において、当該入力装置がデザイナー等により操作されることにより、表示した画像における所定の箇所の画像の色が指定色情報として選択される。
ユーザ端末３０は、例えば、カラーピッカーなどの機能を用いて指定色の色情報（指定色情報）を取得する。ユーザ端末３０は、取得した指定色情報を印刷可能色出力装置１０に出力する。
【００２１】
図２は、第１の実施形態による印刷可能色出力装置１０の構成例を示すブロック図である。印刷可能色出力装置１０は、例えば、印刷特性情報取得部１０１、指定色情報取得部１０２、画像情報入力部１０５、選択領域情報取得部１０６、印刷可能色推定部１０７及び表示制御部１１０を備える。
【００２２】
印刷特性情報取得部１０１は、印刷に用いられる印刷特性に関する印刷特性情報を、印刷特性情報データベース２０から取得し、取得した印刷特性情報を印刷可能色推定部１０７に出力する。
本実施形態では、印刷特性情報取得部１０１は、印刷特性情報として、少なくともインキ情報、及び基材情報を取得する。インキ情報には、印刷に用いる原色インキの吸収係数Ｋ（λ）及び散乱係数Ｓ（λ）が含まれる。基材情報には、基材の分光反射率（下地分光反射率）が含まれる。
指定色情報取得部１０２は、指定された指定色に関する指定色情報を、ユーザ端末３０から取得し、取得した指定色情報を印刷可能色推定部１０７に出力する。
画像情報入力部１０５には、ユーザ端末３０に表示させる画像の画像データが入力される。画像情報入力部１０５は、入力された画像データを、ユーザ端末３０に出力して表示させる。
選択領域情報取得部１０６は、ユーザ端末３０に表示された画像から選択された箇所を示す選択領域情報を取得する。ここで、選択領域情報は「指定色情報」の一例である。
【００２３】
印刷可能色推定部１０７は、指定色情報取得部１０２により取得された指定色情報と印刷特性情報取得部１０１により取得された印刷特性情報とを用いて、印刷可能となる印刷可能色を推定する。印刷可能色推定部１０７は、推定した印刷可能色の色情報を表示制御部１１０に出力する。
【００２４】
ここで、印刷可能色推定部１０７が印刷可能色を推定する方法について説明する。
本実施形態では、インキがベタで印刷されることを前提とする。つまり、印刷可能色推定部１０７は、ベタで印刷されたインキの色を基に印刷可能色を推定する。
【００２５】
印刷可能色推定部１０７は、インキがベタで印刷された場合の色と、指定色の色とを比較する。以下では、推定に用いられるインキが複数の原色インキを任意の比率で配合したインキ（以下、配合インキともいう）である場合を例示して説明する。
【００２６】
印刷可能色推定部１０７は、指定色情報からの指定色のＬ＊ａ＊ｂ＊値（以下、指定色Ｌ＊ａ＊ｂ＊値という）を取得する。印刷可能色推定部１０７は、印刷特性情報取得部１０１から取得した印刷特性情報を基に、配合インキとして配合する原色インキを選択する。
【００２７】
印刷可能色推定部１０７は、インキ情報から、選択した二つの原色インキの各々における吸収係数Ｋ（λ）及び散乱係数Ｓ（λ）を取得する。
【００２８】
印刷可能色推定部１０７は、以下の（１）式により、複数の原色インキを所定の配合比で配合した配合インキの吸収係数Ｋｔ（λ）及び散乱係数Ｓｔ（λ）を算出する。
【００２９】
【数１】
2020061678.tif 000003
【００３０】
（１）式において、係数α及び係数βの各々は、原色インキ＃１及び原色インキ＃２それぞれの配合の比率（配合比）を示す係数である。原色インキ＃１の吸収係数Ｋ１（λ）に対して係数αを乗算し、原色インキ＃２の吸収係数Ｋ２（λ）に対して係数βを乗算し、加算した数値を、配合インキの吸収係数Ｋｔ（λ）としている。同様に、原色インキ＃１の散乱係数Ｓ１（λ）に対して係数αを乗算し、原色インキ＃２の散乱係数Ｓ２（λ）に対して係数βを乗算し、加算した数値を、配合インキの散乱係数Ｓｔ（λ）としている。
【００３１】
印刷可能色推定部１０７は、（１）式により算出した配合インキの吸収係数Ｋｔ（λ）及び散乱係数Ｓｔ（λ）を、下記の（２）式（クベルカ・ムンクの式）に代入し、分光反射率Ｒ（λ）を算出する。
【００３２】
【数２】
2020061678.tif 000004
【００３３】
（２）式において、Ｒｇ（λ）は基材の分光反射率である。また、ａ（λ）は、散乱係数Ｓ（λ）と吸収係数Ｋ（λ）とを加算し、加算結果を散乱係数Ｓ（λ）により除算した数値である。ｂ（λ）は、ａ（λ）を二乗した数値から１を減算し、減算結果の平方根を計算した数値である。
【００３４】
また、（２）式において、Ｘｍはインキの膜厚を示す係数である。本実施例ではこの係数を１とする。
【００３５】
印刷可能色推定部１０７は、（１）式及び（２）式を用いて、配合インキがベタで印刷された場合における分光反射率ＲＫＭ（λ）を算出する。
【００３６】
印刷可能色推定部１０７は、算出した分光反射率ＲＫＭ（λ）に基づき、観測光源と標準観測者を定めて、配合インキがベタで印刷された場合におけるＬ＊ａ＊ｂ＊値（以下、算出色Ｌ＊ａ＊ｂ＊値という）を算出する。
【００３７】
印刷可能色推定部１０７は、算出色Ｌ＊ａ＊ｂ＊値と、指定色Ｌ＊ａ＊ｂ＊値とを比較する。例えば、印刷可能色推定部１０７は、算出色Ｌ＊ａ＊ｂ＊値と、指定色Ｌ＊ａ＊ｂ＊値との色空間上の距離（色差）を算出する。
印刷可能色推定部１０７は、算出色Ｌ＊ａ＊ｂ＊値と、指定色Ｌ＊ａ＊ｂ＊値との色差に基づいて配合比を変更しながら、当該色差が最小となる配合比を最適化により探索する。印刷可能色推定部１０７は、最適化により得られた算出色Ｌ＊ａ＊ｂ＊値と、指定色Ｌ＊ａ＊ｂ＊値との色差が最小となるときの配合インキの色を、指定色情報に応じた印刷可能色であると推定する。
【００３８】
表示制御部１１０は、印刷可能色推定部１０７から印刷可能色の色情報を取得し、取得した色情報をユーザ端末３０に送信（出力）する。ここで、表示制御部１１０は、「出力部」の一例である。
【００３９】
図３は、第１の実施形態による印刷可能色出力装置１０からの出力がユーザ端末３０において表示された場合の表示例を示す図である。
図３に示すように、印刷可能色出力装置１０の推定結果として、例えば、指定色の色と印刷可能色とが同一の表示画面に表示される。指定色と印刷可能色とを同一の画面に表示させることで、デザイナーが指定色と印刷可能色とを容易に比較することができる。
また、図３に示すように、印刷可能色出力装置１０は、複数の印刷可能色を推定して表示させてよい。これにより、デザイナーは、指定色に対応した印刷可能色を選択してデザインすることが可能となる。例えば、これら複数の印刷可能色は、最適化において用いる色差の色差式を複数用いてそれぞれ最適化することにより求めることができる。
【００４０】
図４は、第１の実施形態による印刷可能色出力装置１０の動作例を示すフローチャートである。
ステップＳ１００：
印刷可能色出力装置１０は、印刷特性情報データベース２０から印刷特性情報を取得する。印刷可能色出力装置１０は、例えば、デザイナーの入力操作などにより入力された印刷の条件を、ユーザ端末３０を介して取得する。ここでの印刷の条件とは、例えば、インキや印刷媒体（基材）の種類等の条件である。印刷可能色出力装置１０は、取得した印刷の条件に基づいて印刷特性情報データベース２０を参照することにより印刷の条件に応じた印刷特性情報を取得する。
【００４１】
ステップＳ１０１：
印刷可能色出力装置１０は、ユーザ端末３０から指定色情報を取得する。印刷可能色出力装置１０は、例えば、デザイナーの選択操作などにより指定色として選択されたデザインの一部の箇所の色情報を、指定色情報としてユーザ端末３０を介して取得する。
【００４２】
ステップＳ１０２：
印刷可能色出力装置１０は、取得した印刷特性情報を基に原色インキとして複数のインキを選択し、選択した複数の原色インキ各々の配合比を決定する。印刷可能色出力装置１０は、まずは予め定めた比率（例えば、０．５：０．５）をインキの配合比とする。この配合比は最適化における変数であり、最適化のアルゴリズムに従って逐次変更される。
【００４３】
ステップＳ１０３：
印刷可能色出力装置１０は、配合インキの分光反射率Ｒ（λ）を算出する。印刷可能色出力装置１０は、まず（１）式を用いて、配合インキの吸収係数Ｋ（λ）及び散乱係数Ｓ（λ）を算出する。そして、印刷可能色出力装置１０は算出した配合インキの吸収係数Ｋ（λ）及び散乱係数Ｓ（λ）、及び印刷特性情報から取得した基材の分光反射率Ｒｇ（λ）、及び膜厚係数Ｘｍとしての１を（２）式に代入することにより、配合インキの分光反射率Ｒ（λ）を算出する。
【００４４】
ステップＳ１０４：
印刷可能色出力装置１０は、算出した分光反射率Ｒ（λ）を用いて、算出色Ｌ＊ａ＊ｂ＊値を算出する。
ステップＳ１０５：
印刷可能色出力装置１０は、算出色Ｌ＊ａ＊ｂ＊値と指定色Ｌ＊ａ＊ｂ＊値の色差を算出する。
【００４５】
ステップＳ１０６：
印刷可能色出力装置１０は、配合比の最適化処理が終了しているか否かを判定する。印刷可能色出力装置１０は、ステップＳ１０４にて得られた算出色Ｌ＊ａ＊ｂ＊値よりも最適解となる配合比が存在し得る場合、ステップＳ１０２に進む。印刷可能色出力装置１０は、ステップＳ１０４にて得られた算出色Ｌ＊ａ＊ｂ＊値よりも最適解となる配合比が存在しない場合、最適化処理終了としてステップＳ１０５に進む。最適化が終了しているか否かの判定は、採用した最適化アルゴリズムにより行われる。
ステップＳ１０７：
印刷可能色出力装置１０は、算出色Ｌ＊ａ＊ｂ＊値と指定色Ｌ＊ａ＊ｂ＊値との色差が所定の閾値未満であるか否かを判定する。この所定の閾値は、印刷の環境、印刷媒体（基材）、或いは推定する印刷可能色の精度などの諸条件に応じて任意に決定されてよい。印刷可能色出力装置１０は、算出した色差が所定の閾値未満である場合にはステップＳ１０８に進む。印刷可能色出力装置１０は、算出した色差が所定の閾値以上である場合にはステップＳ１１０に進む。
【００４６】
ステップＳ１０８：
印刷可能色出力装置１０は、算出色Ｌ＊ａ＊ｂ＊値に対応する配合インキの色（ベタで印刷した場合の色）を印刷可能色と推定する。
ステップＳ１０９：
印刷可能色出力装置１０は、推定した印刷可能色の色情報（印刷可能色情報）を出力する。印刷可能色出力装置１０は、例えば、印刷可能色情報をユーザ端末３０に出力することにより、ユーザ端末３０に印刷可能色を表示させる。
【００４７】
ステップＳ１１０：
印刷可能色出力装置１０は、算出色Ｌ＊ａ＊ｂ＊値に対応する配合インキの色（ベタで印刷した場合の色）を印刷可能色と推定し、印刷可能色情報に追加する。
ステップＳ１１１：
印刷可能色出力装置１０は、使用するすべての色差式を用いて最適化を行ったか否かを判定する。色差式には、Ｌ＊ａ＊ｂ＊空間における単純なユークリッド距離で表されるΔＥ＊ａｂや、ΔＥ＊９４色差式、ΔＥ００色差式などの色差式が使用可能である。これら色差式は、あらかじめ印刷可能色出力装置１０に組み込まれており、使用する複数の色差式をユーザが選択可能としても良い。印刷可能色出力装置１０は、使用するすべての色差式について最適化を行なった場合、ステップＳ１０９に進む。使用する色差式が残っている場合には、ステップＳ１１２に進む。
ステップＳ１１２：
印刷可能色出力装置１０は、最適化の際に使用する色差式を変更する。色差式を変更した上で、ステップＳ１０２に戻り、再度最適化を行う。
【００４８】
以上説明したように、第１の実施形態の印刷可能色出力装置１０は、印刷に用いられる印刷特性に関する印刷特性情報を取得する印刷特性情報取得部１０１と、指定された指定色に関する指定色情報を取得する指定色情報取得部１０２と、指定色情報と印刷特性情報とを用いて、印刷可能となる印刷可能色を推定する印刷可能色推定部１０７と、印刷可能色に関する印刷可能色情報を出力する表示制御部１１０とを備える。
これにより、第１の実施形態の印刷可能色出力装置１０は、指定色情報に基づいて印刷可能色を推定することができ、印刷可能な色を彩色したい色に応じて提示することが可能である。本実施形態の印刷可能色出力装置１０では、指定色情報に基づいて印刷可能色を推定するため、例えば指定色に近い色についてのみ分光反射率を算出することが可能であり、指定色とは明らかに異なる色について分光反射率を算出しないようにすることができる。このため、印刷可能色を推定する印刷可能な色の全てについて分光反射率を算出する必要がなく、印刷可能な色域のデータベースを作成する場合と比較して処理負担を軽減させることができ、容易に印刷可能な色を提示することができる。
【００４９】
なお、上記の実施形態では、印刷可能色の推定に、二つの原色インキを配合した配合インキを用いる場合を例示したが、これに限定されず、三つ以上の原色インキを配合した配合インキを用いても良い。
【００５０】
（第２の実施形態）
次に、第２の実施形態について説明する。本実施形態では、印刷可能色を調整する機能を備える点において、上述した実施形態と相違する。本実施形態による印刷可能色出力装置１０Ａは、例えば、印刷可能色をデザイナー自身で調整しようとする場合に使用される。以下の説明においては、上述した実施形態と相違する構成について説明し、上述した実施形態と同等な構成については、同じ符号を付してその説明を省略する。
【００５１】
図５は、第２の実施形態による印刷可能色出力装置１０Ａの構成例を示すブロック図である。印刷可能色出力装置１０Ａは、指定調整情報取得部１０３、候補色調整部１０８、印刷可能色推定部１０７Ａ、及び表示制御部１１０Ａを備える。
【００５２】
指定調整情報取得部１０３は、印刷可能色を調整するための情報である指定調整情報を取得する。指定調整情報取得部１０３は、指定調整情報として、調整対象とする印刷可能色（以下、調整対象色という）の色情報を取得する。また、指定調整情報取得部１０３は、指定調整情報として、調整対象色を調整する調整値を示す情報を取得する。指定調整情報取得部１０３は、取得した指定調整情報を候補色調整部１０８に出力する。また、指定調整情報取得部１０３は、調整対象色の色情報を取得した旨を、表示制御部１１０Ａに出力する。
【００５３】
候補色調整部１０８は、指定調整情報取得部１０３から取得した指定調整情報を用いて、調整対象色を調整する。候補色調整部１０８は、例えば、調整対象色のＬ＊ａ＊ｂ＊値を調整値に応じて変化させる。調整値は、調整後の色（以下、調整色という）のＬ＊ａ＊ｂ＊値であってもよいし、調整対象色と調整色との各々のＬ＊ａ＊ｂ＊値の差分であってもよい。候補色調整部１０８は、調整色の色情報を表示制御部１１０Ａに出力する。
【００５４】
印刷可能色推定部１０７Ａは、調整可能な色の範囲として、印刷可能色の色情報の範囲（以下、配合色域という）を算出する。配合色域は、印刷に使用することが可能なインキの色の範囲であり、印刷特性情報に応じて決定される色域である。印刷可能色推定部１０７Ａは、例えば、指定色の色情報に応じて選択した複数のインキについて、配合比を所定の比率で変化させた配合インキの色情報の範囲を配合色域とする。或いは、印刷可能色推定部１０７Ａは、印刷に使用することが可能なインキの組合せの各々について、配合比を所定の比率で変化させた配合インキの色情報の範囲を配合色域としてもよい。印刷可能色推定部１０７Ａは、配合色域を表示制御部１１０Ａに出力する。
表示制御部１１０Ａは、調整対象色が選択された場合、印刷可能色推定部１０７Ａから取得した配合色域を出力する。
また、表示制御部１１０Ａは、候補色調整部１０８から取得した調整色の色情報を出力する。
【００５５】
図６は、第２の実施形態による印刷可能色出力装置１０Ａからの出力がユーザ端末３０において表示された場合の表示例を示す図である。図６では、図３において複数の印刷可能色から調整対象色が選択された場合に表示される画面の例が示されている。
【００５６】
図６に示すように、本実施形態では、調整可能な配合色域の範囲を表示させるようにしてよい。これにより、デザイナーが調整対象色を調整しようとする場合に、調整可能な範囲を容易に把握することができる。また、配合色域を色空間上に重ねて表示させてもよい。これにより、デザイナーは色空間上の色の相対位置を認識しながら調整することが可能である。また、明度や彩度を調整するスライドバーを表示させてもよい。これにより、明度や彩度を個別に調整することが可能となる。
【００５７】
以上説明したように、第２の実施形態の印刷可能色出力装置１０Ａでは、印刷可能色推定部１０７Ａは、複数の原色インキを配合した配合インキを用いて印刷可能な色の範囲である配合色域を、印刷特性情報に基づいて決定し、表示制御部１１０Ａは、配合色域の範囲を示す情報を出力し、前記配合色域の範囲で指定された調整値を用いて、調整対象色を調整する候補色調整部１０８を更に備える。
これにより、第２の実施形態の印刷可能色出力装置１０Ａは、印刷可能色から選択した色を、配合色域の範囲で調整することが可能となる。例えば、印刷可能色出力装置１０Ａから提示された印刷可能色をデザイナー自身が所望する色に調整することができる。尚且つ、調整後の色は印刷可能である。このため、デザイナーは印刷可能な色の範囲で色を調整しながら、カンプと校正刷の間で色のギャップを生じさせることなく、デザインを仕上げることが可能である。
【００５８】
また、第２の実施形態の印刷可能色出力装置１０Ａでは、表示制御部１１０Ａは、調整対象色、及び調整後の調整色に関する色の情報を出力する。これにより、本実施形態の印刷可能色出力装置１０は、調整前後の両方の色の情報を出力させることで、例えば、両方の色をユーザ端末３０に表示させることができ、デザイナー自身が色を見比べながら、自身が所望する色に調整することが可能である。
【００５９】
（第３の実施形態）
次に、第３の実施形態について説明する。本実施形態では、印刷可能色を指定された網点面積率（網％などともいう）に応じて算出する機能を備える点において、上述した実施形態と相違する。本実施形態による印刷可能色出力装置１０Ｂは、例えば、印刷可能色を、配合インキをベタで印刷した色ではなく、配合インキをある網点面積率で印刷した色で表現しようとする場合に使用される。
【００６０】
例えば、薄い色の一様な領域が存在するデザインを印刷する際に、この薄い色をベタとして印刷可能な配合インキを使用することも可能である。しかしながら、薄い色の配合インキでは、他の色と掛け合わせて印刷した際の印刷色域が狭くなり、同じデザインの中に、自然画像などの広い色域を必要とする領域が含まれていると、その自然画像を再現するために、同じような色のさらに濃いインキが必要となる（例えば、薄い水色の一様な領域と、自然画像からなるデザインに対して、水色のインキを使用すると、自然画像を表現するために必要な色域をカバーできないため、シアンのインキを使用する必要がある）。このような状況において、薄い色の領域をベタではなく、例えば網点面積率２０％の中間調で再現することにより、使用する配合インキのベタはより濃い色となるため、そのインキを用いて自然画像の濃い色の領域も再現できる可能性がある。これにより、少ない色数で印刷が可能となり、印刷コストを抑えることが可能となる。
【００６１】
図７は、第３の実施形態による印刷可能色出力装置１０Ｂの構成例を示すブロック図である。印刷可能色出力装置１０Ｂは、印刷特性情報取得部１０１、指定網点情報取得部１０４、網点印刷可能色推定部１０９、及び表示制御部１１０Ｂを備える。
【００６２】
本実施形態では、印刷特性情報取得部１０１は、印刷特性情報として、少なくともインキ情報、基材情報、及び階調情報を取得する。本実施例では、インキをある面積率で印刷した際の色を予測するモデルとして、印刷の網点が複数の濃度階調領域からなるものとして表したモデルを採用する。そのため、階調情報には、指定網点面積率の各段階における濃度階調領域の出現率を示す情報が含まれる。
【００６３】
指定網点情報取得部１０４は、印刷可能色を、指定された網点面積率で表現するための指定網点情報を取得する。指定網点情報取得部１０４は、取得した網点情報を網点印刷可能色推定部１０９に出力する。
【００６４】
網点印刷可能色推定部１０９は、指定網点情報取得部１０４から取得した指定網点情報を用いて、指定された網点面積率で表現可能な色（以下、網点印刷可能色という）を推定する。網点印刷可能色推定部１０９は、例えば、上述した第１の実施形態において印刷可能色推定部１０７が印刷可能色を推定した方法と同様の方法により、網点印刷可能色を推定する。但し、第１の実施形態においてインキがベタで印刷される前提であるのに対し、本実施形態では、インキは指定された網点面積率で印刷されることを前提とする。
【００６５】
網点印刷可能色推定部１０９は、（１）式により算出した配合インキの吸収係数Ｋ（λ）及び散乱係数Ｓ（λ）を、下記の（２）式（クベルカ・ムンクの式）に代入し、膜厚毎の分光反射率Ｒ１（λ）、Ｒ２（λ）、Ｒ３（λ）、…、Ｒｍ（λ）を算出する。
【００６６】
本実施形態において（２）式における膜厚係数Ｘｍは、網点を構成する各濃度階調領域のそれぞれの膜厚を示す値である。膜厚係数Ｘｍは、例えば、網点面積率に対応する濃度階調領域の膜厚の段階が５段階であれば、ｍ＝１、２、３、４、５であり、膜厚係数Ｘｍは、それぞれの濃度階調領域の膜厚の段階に対応して、Ｘ１＝１．０、Ｘ２＝０．８、Ｘ３＝０．６、Ｘ４＝０．４、Ｘ５＝０．２とする。
【００６７】
網点印刷可能色推定部１０９は、（３）式に膜厚毎の分光反射率Ｒ１（λ）、Ｒ２（λ）、Ｒ３（λ）、…、Ｒｍ（λ）を代入する。また、網点印刷可能色推定部１０９は、（３）式に印刷特性情報取得部１０１から取得した網点面積率に対応する各濃度階調領域の出現率を示す出現率関数ａ１（ｓ）、ａ２（ｓ）、ａ３（ｓ）、…、ａｍ（ｓ）を代入する。これにより、網点印刷可能色推定部１０９は、（３）式により算出分光反射率Ｒ’ＫＭ（ｓ，λ）を算出する。
【００６８】
【数３】
2020061678.tif 000005
【００６９】
（３）式において、ここで出現率関数ａ１（ｓ）、ａ２（ｓ）、ａ３（ｓ）、…、ａｍ（ｓ）におけるｓは、指定網点面積率を示す。
【００７０】
網点印刷可能色推定部１０９は、算出した算出分光反射率Ｒ’ＫＭ（ｓ，λ）を、配合インキが指定された網点面積率で印刷された場合におけるＬ＊ａ＊ｂ＊値（以下、算出網点Ｌ＊ａ＊ｂ＊値という）に変換する。
【００７１】
網点印刷可能色推定部１０９は、算出網点Ｌ＊ａ＊ｂ＊値と、指定色のＬ＊ａ＊ｂ＊値（以下、指定色Ｌ＊ａ＊ｂ＊値という）とを比較する。例えば、網点印刷可能色推定部１０９は、算出網点Ｌ＊ａ＊ｂ＊値と、指定色Ｌ＊ａ＊ｂ＊値との色差を算出する。
網点印刷可能色推定部１０９は、算出網点Ｌ＊ａ＊ｂ＊値と、指定色Ｌ＊ａ＊ｂ＊値との色差に基づいて配合比を変更しながら、当該色差が最小となる配合比を最適化により探索する。
【００７２】
網点印刷可能色推定部１０９は、推定した網点印刷可能色の色情報を表示制御部１１０Ｂに出力する。この場合、網点印刷可能色推定部１０９は、網点印刷可能色を、複数段階の網点面積率で示すステップチャートにおける各々の色情報を出力するようにしてもよい。
表示制御部１１０Ｂは、網点印刷可能色推定部１０９から網点印刷可能色の色情報を取得し、取得した色情報をユーザ端末３０に送信（出力）する。
【００７３】
図８は、第３の実施形態による印刷可能色出力装置１０Ｂからの出力がユーザ端末３０において表示された場合の表示例を示す図である。
図８に示すように、印刷可能色出力装置１０Ｂが網点印刷可能色を推定した推定結果として、例えば、指定色と、網点面積率を指定する指定欄が同一の表示画面に表示されてもよい。指定色と網点面積率の指定欄を同一の画面に表示させることで、デザイナーが指定色の選択と網点面積率の指定を容易に操作することができる。
【００７４】
図９は、第３の実施形態による印刷可能色出力装置１０Ｂからの出力がユーザ端末３０において表示された場合の表示例を示す図である。
図９に示すように、印刷可能色出力装置１０Ｂが網点印刷可能色を推定した推定結果として、例えば、指定色と、指定網点面積率における網点印刷可能色とともに、各段階の網点面積率で印刷した際の印刷色が、同一の表示画面に表示される。この例では、網点面積率として、０、１０、２０、…。１００％の各段階に対応する印刷色が表示されている。また、この例では、指定網点面積率が８０％である場合を示しており、これに対応して、網点印刷可能色が網点面積率８０％で印刷された場合の色の上に指定色が表示されている。これにより、デザイナーが指定色と指定網点面積率で表現された網点印刷可能色とを容易に比較することが可能である。
【００７５】
なお、指定色と指定網点面積率との関係によっては、網点印刷可能色が推定できない場合が考えられる。例えば、色空間の中で比較的濃い色が調整対象色として選択されたが、指定網点面積率が小さい場合には、どの様に配合比を設定しても、算出網点Ｌ＊ａ＊ｂ＊値と、調整対象色Ｌ＊ａ＊ｂ＊値との色差が所定の閾値未満とならない場合があり得る。このような場合に、印刷可能色出力装置１０は、「指定された網点面積では、印刷することができません」などのメッセージを出力するようにしてもよい。
【００７６】
この網点印刷可能色が推定できない場合の対策として、指定網点面積率で印刷可能な網点印刷可能色の配合色域の範囲を表示させるようにしてよい（図１０を参照）。これにより、デザイナーが指定色を指定網点面積率で表現させようとする場合に、表現可能な範囲を容易に把握することができる。
【００７７】
この網点印刷可能色の配合色域の範囲は、例えば、網点印刷可能色推定部１０９により算出される。配合色域は、指定網点面積率で印刷することが可能なインキの色の範囲であり、印刷特性情報に応じて決定される色域である。網点印刷可能色推定部１０９は、例えば、指定色の色情報に応じて選択した複数のインキについて、配合比を所定の比率で変化させた配合インキを指定網点面積率で印刷した場合における色の範囲を配合色域とする。
【００７８】
図１０は、第３の実施形態による印刷可能色出力装置１０Ｂからの出力がユーザ端末３０において表示された場合の表示例を示す図である。図１０では、図８において複数の網点印刷可能色から調整対象色が選択され、網点面積率が指定された場合に表示される画面の例が示されている。
【００７９】
図１０に示すように、本実施形態では、指定された網点面積率で印刷可能な配合色域の範囲を表示させるようにしてよい。これにより、デザイナーが調整対象色を調整しようとする場合に、印刷可能な範囲を容易に把握することができる。また、配合範囲を色空間上に重ねて表示させてもよい。これにより、デザイナーは色空間上の設定可能な範囲を認識しながら、改めて網点面積率を指定することが可能である。
【００８０】
図１１は、第３の実施形態による印刷可能色出力装置１０Ｂの動作例を示すフローチャートである。図１１のフローチャートに示すステップＳ２００、Ｓ２０３、Ｓ２０７、Ｓ２０８、及びＳ２１２〜Ｓ２１４は、図４のフローチャートに示すステップＳ１００、Ｓ１０２、Ｓ１０５、Ｓ１０６、及びＳ１１０〜Ｓ１１２と同様であるため、その説明を省略する。
ステップＳ２０１：
印刷可能色出力装置１０Ｂは、ユーザ端末３０から調整対象色情報を取得する。印刷可能色出力装置１０は、例えば、デザイナーの選択操作などにより複数の印刷可能色から選択された調整対象色の色情報を、調整対象色情報としてユーザ端末３０を介して取得する。
ステップＳ２０２：
印刷可能色出力装置１０Ｂは、ユーザ端末３０から指定網点面積率を取得する。印刷可能色出力装置１０Ｂは、例えば、デザイナーの選択操作などにより設定された調整対象色の網点面積率を、指定網点面積率としてユーザ端末３０を介して取得する。
【００８１】
ステップＳ２０４：
印刷可能色出力装置１０Ｂは、指定網点面積率で印刷した場合の配合インキの分光反射率Ｒｍ（λ）を算出する。印刷可能色出力装置１０Ｂは、まず（１）式を用いて、配合インキの吸収係数Ｋｔ（λ）及び散乱係数Ｓｔ（λ）を算出する。そして、印刷可能色出力装置１０Ｂは算出した配合インキの吸収係数Ｋｔ（λ）及び散乱係数Ｓｔ（λ）、及び印刷特性情報から取得した基材の分光反射率、及び膜厚係数Ｘｍとして指定された網点面積率に応じた値を（２）式に代入することにより、配合インキにおける膜厚毎の分光反射率Ｒ１（λ）、Ｒ２（λ）、Ｒ３（λ）、…、Ｒｍ（λ）を算出する。
ステップＳ２０５：
印刷可能色出力装置１０Ｂは、（３）式に膜厚毎の分光反射率Ｒ１（λ）、Ｒ２（λ）、Ｒ３（λ）、…、Ｒｍ（λ）、及び、各濃度階調領域の出現率を示す出現率関数ａ１（ｓ）、ａ２（ｓ）、ａ３（ｓ）、…、ａｍ（ｓ）を代入することにより算出分光反射率Ｒ’ＫＭ（ｓ，λ）を算出する。
【００８２】
ステップＳ２０６：
印刷可能色出力装置１０Ｂは、算出した算出分光反射率Ｒ’ＫＭ（ｓ，λ）に基づき、観測光源を定めて、網点算出色Ｌ＊ａ＊ｂ＊値を算出する。
ステップＳ２０９：
印刷可能色出力装置１０Ｂは、網点算出色Ｌ＊ａ＊ｂ＊値と調整対象色Ｌ＊ａ＊ｂ＊値との色差が所定の閾値未満であるか否かを判定する。この所定の閾値は、印刷の環境、印刷媒体（基材）、或いは推定する印刷可能色の精度などの諸条件に応じて任意に決定されてよい。印刷可能色出力装置１０Ｂは、算出した色差が所定の閾値未満である場合にはステップＳ２１０に進む。印刷可能色出力装置１０Ｂは、算出した色差が所定の閾値以上である場合にはステップＳ２１２に進む。
【００８３】
ステップＳ２１０：
印刷可能色出力装置１０Ｂは、網点算出色Ｌ＊ａ＊ｂ＊値に対応する配合インキの色（指定網点面積率で印刷した場合の色）を網点印刷可能色と推定する。
ステップＳ２１１：
印刷可能色出力装置１０Ｂは、推定した網点印刷可能色の色情報（網点印刷可能色情報）を出力する。印刷可能色出力装置１０Ｂは、例えば、網点印刷可能色情報をユーザ端末３０に出力することにより、ユーザ端末３０に網点印刷可能色を表示させる。この場合、印刷可能色出力装置１０Ｂは、複数の網点面積率の段階に応じた色の色情報を出力するようにしてよい。
【００８４】
以上、説明したように、第３の実施形態の印刷可能色出力装置１０Ｂでは、印刷特性情報は、印刷に用いられるインキにおける網点面積率に応じた階調を示す階調情報を含み、指定色を再現する網点面積率に関する指定網点面積率情報を取得する指定網点情報取得部１０４と、印刷特性情報と指定網点面積率情報とを用いて、指定色が指定網点面積率で印刷可能となる網点印刷可能色を推定する網点印刷可能色推定部１０９を更に備える。
これにより、第３の実施形態の印刷可能色出力装置１０Ｂは、指定された網点面積率で指定色を再現する網点印刷可能色を推定することができ、例えば、網点面積率を変化させた場合の各段階に対応する複数の色（ステップチャート）をユーザ端末３０に表示させることができ、デザイナー自身が色を見比べながら、デザインに使用する色を、どの程度の網点面積率で表現するか、決定することが可能である。デザインに一様な薄い色の領域が含まれている際に、その薄い色をベタで再現するインキではなく、指定する網点面積率で再現するインキ（結果的に指定色よりも濃い色のインキとなる）を用いることにより、掛け合わせで再現可能な色域を拡大することができるため、印刷に用いるインキの色数を減らし、印刷コストを安く仕上げることが可能である。
【００８５】
また上述した少なくとも一つの実施形態の印刷可能色出力装置１０（１０Ａ、１０Ｂ）では、画像の情報が入力される画像情報入力部１０５と、画像をユーザ端末３０に表示させる表示制御部１１０とを更に備え、指定色情報取得部１０２は、ユーザ端末３０に表示された画像において選択された領域における色を指定色として指定色情報を取得する。これにより、実施形態の印刷可能色出力装置１０（１０Ａ、１０Ｂ）は、ユーザ端末３０に表示させた画像の一部の色を色情報として取得でき、例えば、デザイナー自身がユーザ端末３０に表示させたデザインの色の中から、指定色を選択することが可能となる。
【００８６】
なお、上記の実施形態では、印刷可能色推定部１０７、及び網点印刷可能色推定部１０９が、（２）式を用いて配合インキの分光反射率Ｒ（λ）、Ｒｍ（λ）を算出する場合を例示して説明したが、これに限定されない。配合インキを印刷した印刷媒体（基材）から実測した、当該配合インキの分光反射率Ｒ（λ）、Ｒｍ（λ）を、印刷特性情報データベース２０に記憶させてもよい。
【００８７】
上述した実施形態における印刷可能色出力装置１０（１０Ａ、１０Ｂ）の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００８８】
以上、この発明の実施形態について図面を参照して詳述してきたが、具体的な構成はこの実施形態に限られるものではなく、この発明の要旨を逸脱しない範囲の設計等も含まれる。
【符号の説明】
【００８９】
１…印刷可能色出力システム
１０…印刷可能色出力装置
１０１…印刷特性情報取得部
１０２…指定色情報取得部
１０３…指定調整情報取得部
１０４…指定網点情報取得部
１０５…画像情報入力部
１０６…選択領域情報取得部
１０７…印刷可能色推定部
１０８…候補色調整部
１０９…網点印刷可能色推定部
１１０…表示制御部
２０…印刷特性情報データベース
３０…ユーザ端末
【図１】
2020061678.tif 000006
【図２】
2020061678.tif 000007
【図３】
2020061678.tif 000008
【図４】
2020061678.tif 000009
【図５】
2020061678.tif 000010
【図６】
2020061678.tif 000011
【図７】
2020061678.tif 000012
【図８】
2020061678.tif 000013
【図９】
2020061678.tif 000014
【図１０】
2020061678.tif 000015
【図１１】
2020061678.tif 000016